(57)【特許請求の範囲】
【請求項１】
切符の販売等を行う出札窓口の売上金の管理、販売された切符の払い戻しあるいは乗車変更に伴う精算等を行う改札窓口の売上金の管理に使用される交通機関の出札・改札窓口用精算装置において、
切符の販売等を行う出札窓口専用の売上金の管理、販売された切符の払い戻しあるいは乗車変更に伴う精算等を行う改札窓口専用の売上金の管理、および前記出札窓口と前記改札窓口とを兼用する出札兼改札窓口用の売上金の管理に切り替え可能な管理ターミナルと、
前記出札窓口と前記改札窓口の入金指令に基づいて入金された貨幣の計数額を前記管理ターミナルに報告するとともに貨幣を貨幣収納部に収納し、かつ前記管理ターミナルによる前記出札窓口と前記改札窓口の釣銭出金指令に応答して前記貨幣収納部に収納された貨幣を出金する貨幣入出金機とを具え、
前記管理ターミナルは、
前記出札窓口と前記改札窓口の入出金の操作指示、あるいは前記出札窓口と前記改札窓口の売上日更新の指示等を入力する入力手段であって、初期状態において出札窓口専用モードまたは改札窓口専用モード若しくは前記出札窓口と前記改札窓口と兼用する出札兼改札窓口モードのいずれかのモードを選択させる選択手段を有する入力手段と、
前記各選択モードに応じて、出札売上金情報と改札売上金情報を記憶管理するメモリテーブルと、
前記出札売上金情報と前記改札売上金情報とを売上日のもとに前記メモリテーブルで管理し、出札売上金、改札売上金の回収時に、前記売上日を基準に、前記出札売上金の回収と前記改札売上金の回収とを行う制御手段
とを有するようにしたことを特徴とする交通機関の出札・改札窓口用精算装置。
【請求項２】
前記管理ターミナルは、出札売上金情報と改札売上金情報とをそれぞれ独立して管理するようにしたことを特徴とする請求項（１）記載の交通機関の出札・改札窓口用精算装置。
【請求項３】
前記独立して管理された前記出札売上金情報と、前記独立して管理された前記改札売上金情報とに基づいて、出札売上金と改札売上金とを、それぞれ独立して回収するようにしたことを特徴とする請求項（２）記載の交通機関の出札・改札窓口用精算装置。
【請求項４】
切符の販売等を行う出札窓口の売上金の管理、販売された切符の払い戻しあるいは乗車変更に伴う精算等を行う改札窓口の売上金の管理に使用される交通機関の出札・改札窓口用精算装置において、
切符の販売等を行う出札窓口専用の売上金の管理、販売された切符の払い戻しあるいは乗車変更に伴う精算等を行う改札窓口専用の売上金の管理、および前記出札窓口と前記改札窓口とを兼用する出札兼改札窓口用の売上金の管理に切り替え可能な管理ターミナルと、
前記出札窓口と前記改札窓口の入金指令に基づいて入金された貨幣の計数額を前記管理ターミナルに報告するとともに貨幣を貨幣収納部に収納し、かつ前記管理ターミナルによる前記出札窓口と前記改札窓口の釣銭出金指令に応答して前記貨幣収納部に収納された貨幣を出金する貨幣入出金機とを具え、
前記管理ターミナルは、
前記出札窓口と前記改札窓口の入出金の操作指示、あるいは前記出札窓口と前記改札窓口の売上日更新の指示等を入力する入力手段であって、初期状態において出札窓口専用モードまたは改札窓口専用モード若しくは前記出札窓口と前記改札窓口と兼用する出札兼改札窓口モードのいずれかのモードを選択させる選択手段を有する入力手段と、
前記各選択モードに応じて、出札売上金情報と改札売上金情報をそれぞれ記憶管理するメモリテーブルと、
前記出札売上金情報と前記改札売上金情報とをそれぞれ独立した売上日のもとに前記メモリテーブルで管理し、出札売上金、改札売上金の回収時に、前記独立した前記売上日を基準に、前記出札売上金の回収と前記改札売上金の回収とをそれぞれ独立して行う制御手段
とを有するようにしたことを特徴とする交通機関の出札・改札窓口用精算装置。
【請求項５】
前記管理ターミナルは、前記入力手段に加えて、前記出札窓口または前記改札窓口の売上処理に伴って、預り金、今回の売上金額、および釣銭を表示する表示手段をさらに有する一台の装置であるようにしたことを特徴とする請求項（４）記載の交通機関の出札・改札窓口用精算装置。
【請求項６】
前記制御手段は、前記入力手段から売上日更新の指示があると、前記出札売上金情報と前記改札売上金情報のうちいずれか一方の売上金情報であって、次に入力される売上金情報を売上日を更新して前記メモリテーブルに記憶させ、次に、前記入力手段から売上金情報のデータクリア指示があると、前記メモリテーブル内に、前記更新された売上日を基準として前記出札および前記改札の各売上金情報を記憶する新たな記憶領域を形成し、この新たな記憶領域に、前記メモリテーブル内に記憶された売上日更新後の前記一方の売上金情報を移動させ、次に、売上日更新前の前記一方の売上金情報と他方の売上金情報とを、前記メモリテーブルから消去させるとともに、次に入力される前記他方の売上金情報を、売上日を前記更新された売上日に更新して、前記メモリテーブルに記憶させるようにしたことを特徴とする請求項（４）記載の交通機関の出札・改札窓口用精算装置。
【発明の詳細な説明】
【０００１】
【発明の属する技術分野】
この発明は、交通機関の窓口において、切符の販売等を行う出札売上処理、販売された切符の払い戻しあるいは乗車変更に伴う精算等を行う改札売上処理を効率よく行うことができ、さらに厳しい現金管理を行うことが可能な交通機関の出札・改札窓口用精算装置に関する。
【０００２】
【従来の技術】
列車等の交通機関の窓口には、一般に、切符の販売等を行う出札窓口と、販売された切符の払い戻しあるいは乗車変更に伴う精算等を行う改札窓口とがあるが、従来の小規模な駅等の窓口では、出札窓口と改札窓口とを１つの窓口で兼用するようにしている。
【０００３】
一方、交通機関の窓口での処理としては、出札窓口での切符の販売などや改札窓口の切符の払い戻し等その都度行われる売上処理、または日ごとの売上金を算出する処理等が行われている。
【０００４】
このような売上処理のうち、日をもとにした売上処理は、出札窓口、改札窓口がその業務内容と交通機関との関係上、異なった時間帯に終了させる場合もあるので、出札窓口の売上処理と改札窓口の売上処理とは異なる時間帯に行われることがあり、また、その売上日の更新も異なる時間帯に行われることもある。
【０００５】
したがって、１つの窓口で出札窓口と改札窓口を兼用しているいわゆる出札兼改札窓口では、従来、図２６で示すように、出札窓口のみの売上金情報を記憶管理する１台の管理ターミナル９１と、出札窓口、改札窓口の売上金をそれぞれ収納管理する２つの引き出しからなる売上金管理装置９２とで構成された出札・改札窓口用精算装置９０を使用しており、出札窓口の売上処理を管理ターミナル９１によって行う一方、改札窓口の売上処理を電卓等を使用して手作業で行い、これにより、出札窓口の売上処理と改札窓口の売上処理をそれぞれ独立して行うようにしている。
【０００６】
【発明が解決しようとする課題】
ところで、従来の交通機関の出札・改札窓口用精算装置９０は、出札窓口のみの売上金情報を記憶管理する１台の管理ターミナル９１と、出札窓口、改札窓口の売上金をそれぞれ収納管理する２つの引き出しからなる入出金管理装置９２とで構成することとし、これにより出札窓口の売上処理と改札窓口の売上処理とをそれぞれ独立して行うようにしているので、一方の窓口である改札窓口の売上処理を手作業で行うこととなり、このため、改札窓口の精算処理が煩雑であるという問題があった。
また、上述のように、一方の窓口である改札窓口の売上処理が煩雑であるため、その売上処理の効率化及び迅速化が図れず、交通機関の利用者に対するサービスが不十分となるという問題もあった。
【０００７】
また、従来の交通機関の出札・改札窓口用精算装置９０では、出札窓口、改札窓口の売上金の管理を、２つの引き出しからなる売上金管理装置９１によって行っていたから、現金の厳正な管理が難しいという問題もあった。
【０００８】
この発明はこのような実情に鑑みてなされたもので、交通機関の窓口において、切符の販売等を行う出札売上処理、販売された切符の払い戻しあるいは乗車変更に伴う精算等を行う改札の売上処理を効率よくかつ迅速に行うことができ、さらに厳しい現金管理を行うことが可能な交通機関の出札・改札窓口用精算装置を提供することを目的とする。
【０００９】
【課題を解決するための手段】
この発明では、切符の販売等を行う出札窓口の売上金の管理、販売された切符の払い戻しあるいは乗車変更に伴う精算等を行う改札窓口の売上金の管理に使用される交通機関の出札・改札窓口用精算装置において、
切符の販売等を行う出札窓口専用の売上金の管理、販売された切符の払い戻しあるいは乗車変更に伴う精算等を行う改札窓口専用の売上金の管理、および前記出札窓口と前記改札窓口とを兼用する出札兼改札窓口用の売上金の管理に切り替え可能な管理ターミナルと、
前記出札窓口と前記改札窓口の入金指令に基づいて入金された貨幣の計数額を前記管理ターミナルに報告するとともに貨幣を貨幣収納部に収納し、かつ前記管理ターミナルによる前記出札窓口と前記改札窓口の釣銭出金指令に応答して前記貨幣収納部に収納された貨幣を出金する貨幣入出金機とを具え、
前記管理ターミナルは、
前記出札窓口と前記改札窓口の入出金の操作指示、あるいは前記出札窓口と前記改札窓口の売上日更新の指示等を入力する入力手段であって、初期状態において出札窓口専用モードまたは改札窓口専用モード若しくは前記出札窓口と前記改札窓口と兼用する出札兼改札窓口モードのいずれかのモードを選択させる選択手段を有する入力手段と、
前記各選択モードに応じて、出札売上金情報と改札売上金情報を記憶管理するメモリテーブルと、
前記出札売上金情報と前記改札売上金情報とを売上日のもとに前記メモリテーブルで管理し、出札売上金、改札売上金の回収時に、前記売上日を基準に、前記出札売上金の回収と前記改札売上金の回収とを行う制御手段
とを有するようにしている。
【００１０】
【実施例】
以下、本発明に係わる交通機関の出札・改札窓口用精算装置の一例である列車の出札・改札窓口用精算装置について、添付図面に従って詳細に説明する。
図１は、この発明に係わる交通機関の出札・改札窓口用精算装置の外観構成を示すものである。
この発明に係わる交通機関の出札・改札窓口用精算装置８１は、１台の管理ターミナル１と、１台の貨幣入出金機２とから構成されている。
この出札・改札窓口用精算装置８１の具体的構成についてさらに詳しく説明すると、図１と同一部分を同一符号で示す図２で示すように、出札・改札窓口用精算装置８１は、管理ターミナル１と、貨幣入出金機２に加え、さらに、カスタマーディスプレイ３、プリンタ４、後述する乗車切符発券端末５（図４）、及びＰＯＳ（販売時点情報管理）端末６（図４）を具えている。
【００１１】
このうち、貨幣入出金機２は、図３に示すように、紙幣入出金機２ａおよび硬貨入出金機２ｂを有しており、このうちの紙幣入出金機２ａは、入金紙幣を搬入する入金繰込み部１０と、搬入された紙幣の金種、真偽などを識別する入金識別部１１と、紙幣搬送路１２と、入金額確認のために入金紙幣を一時保留する一括一時保留部１３と、万円券を収容する万円収容部１４と、五千円券を収容する五千円収容部１５と、千円券を収容する千円券収容部１６と、出金識別部１９で紙幣として認識できないリジェクト紙幣が収納される出金リジェクト部１７と、紙幣収容部でオーバーフローした紙幣及び回収処理によって回収した紙幣を収容する回収カセット１８と、出金紙幣の金種などを識別する出金識別部１９と、出金紙幣を出金口へ出金する出金部２０と、これら各構成要素を制御するとともに入金識別部１１の識別結果に基づき入金額を計数する等の処理を行う制御部２１とを有している。
また、硬貨入出金機２ｂは、入金硬貨を搬入する入金繰込み部３０と、搬入された硬貨の金種、真偽などを識別する入金識別部３１と、硬貨搬送路３２と、入金額確認のために入金硬貨を一時保留する一括一時保留部３３と、硬貨６種類を金種別に収納する金種別硬貨収納部３４と、各硬貨収容部でオーバーフローした硬貨及び回収処理によって回収した硬貨を収容する回収カセット３５と、出金硬貨を出金口へ出金する出金部３６と、これら各構成要素を制御する制御部３７を有している。
このような貨幣入出金機２では、出札窓口と改札窓口の入金指令に基づいて入金された貨幣の計数額を管理ターミナル１に報告するとともに、貨幣を金種別硬貨収納部３４等の貨幣収納部に収納し、また、管理ターミナル１による出札窓口と改札窓口の釣銭出金指令に応答し、貨幣収納部に収納された貨幣のうち釣銭出金指令に応じた額の現金を出金する。
【００１２】
また、紙幣入出金機２ａの制御部２１には、一括一時保留部１３、万円収納部１４、五千円収納部１５、千円収納部１６、回収カセット１８内の各貨幣在高（枚数）、および紙幣入出金機２ａ全体としての紙幣在高をそれぞれ記憶する紙幣在高記憶メモリを有しており、制御部２１は紙幣の入出金に応じて該紙幣在高記憶メモリの記憶データを更新記憶している。
また、硬貨入出金機２ｂの制御部３７にも、一括一時保留部３２、金種別硬貨収納部３４内の金種別貨幣在高、および硬貨入出金機２ｂ全体としての硬貨在高をそれぞれ記憶する硬貨在高記憶メモリを有しており、制御部３７は硬貨の入出金に応じて該硬貨在高記憶メモリの記憶データを更新する。
また、紙幣在高記憶メモリおよび硬貨在高記憶メモリに記憶されている貨幣在高データは、後述する管理ターミナル１の制御部５０（図５）に報告されるようになっている。
【００１３】
また、図２のカスタマーディスプレイ３は、出札窓口または改札窓口での売上処理に伴って、管理ターミナル１の制御部５０（図５）に入力された情報、または制御部５０で処理された情報の一部、例えば、預り金、今回の売上金額、および釣銭等を顧客（窓口利用者）用に表示するためのものである。
【００１４】
また、プリンタ４は、出札・改札窓口用精算装置８１の接続形態を示すブロック図である図４で示すように、管理ターミナル１の制御部５０（図５）によって処理された情報、例えば、領収書や、貨幣入出金機２内の貨幣の回収等の締切処理を行う際の処理内容の明細をプリントアウトするレシートプリンタ４ａと、それらをジャーナル用紙にプリントアウトして収納するジャーナルプリンタ４ｂとを有している。
なお、図４では、図２と同一部分を同一符号で示している。
【００１５】
一方、管理ターミナル１は、乗車切符発券端末５、及びＰＯＳ端末６によって行われる現金等の授受の際、データ管理および貨幣入出金機２の制御等を行うもので、管理ターミナル１の機能ブロック図で示す図５のように、入力手段である操作入力部４０と、表示手段である表示部４１と、貨幣入出金機２、乗車切符発券端末５およびＰＯＳ端末６などと信号授受を行うための通信インターフェース４２と、貨幣入出金機２等からの情報を記憶する記憶部４３と、これら構成要素を制御する制御手段である制御部５０とから構成されている。
なお、乗車切符発券端末５とＰＯＳ端末６は、オフラインでも使用できる。
【００１６】
このうち、通信インターフェース４２は、オンライン化された列車の座席管理システム用の端末であって乗車切符の発券、取消などの処理を行う乗車切符発券端末５（例えば、ＪＲの場合はマルス端末) と、プリペイドカード（例えば、ＪＲの場合はオレンジカード) 、手売り乗車券の発売を行う際のレジ端末であるＰＯＳ端末６に接続されており、このうちの乗車切符発券端末５によって切符の発券、払い戻し等が行われると、その発券、払い戻し等によって売上げられた金額、売上日、売上処理の内容、出札、改札いずれの窓口による処理であるか等に関する情報、すなわち売上金情報が、通信インターフェース４２を介して制御部５０に送信される。
また、ＰＯＳ端末６によって、ＰＯＳ端末６でプリペイドカードの販売等が行われると、その販売等による売上金情報が通信インターフェース４２を介して制御部５０に送信される。
【００１７】
また、操作入力部４０は、キーボードからなり、各キーが入力されると、入力された情報が制御部５０に送信される。
また、特に本発明に関連するキーボードのキー配置の一例を示す図６のように、キーボードは数値を入力するためのテンキー部５１、上下カーソルキー５２、および「実行」キー５３や、窓口モードを切り替える「出／改」キー５４、表示部の画面をトップメニュー画面等に復帰させる「終了」キー５５、および出札窓口、改札窓口の売上日更新の処理等の際に使用される「確認/ 完了」キー５６、「次頁」キー５７などがある。
また、テンキー部５１、上下カーソルキー５２、「実行」キー５３、「確認/ 完了」キー５６は、後述する売上処理、回収処理、締切印字処理、売上日更新の処理等の際に使用され、特に、出札窓口と改札窓口の入出金の操作指示、出札窓口と改札窓口の売上日更新の指示等を入力する入力手段を構成している。
また、さらに、上述した各キーは、この精算装置８１を出札窓口専用モードで使用するか、改札窓口専用モードで使用するか、または出札窓口と改札窓口とを兼用する出札兼改札窓口用モードのうちいずれのモードで使用するかを選択させる選択手段も構成している。
また、キーボードの「出／改」キー５４は、出札兼改札窓口用モード以外の窓口モードが選択された際に入力されても、その入力は制御部５０によって無効と判断される。
また、出札窓口で行う処理に使用するキー、例えば未渡し入金（後述）を行うための「未渡し」キー、「乗車変更」キー等は、改札窓口専用モードが選択されている場合、出札兼改札窓口用モードのうち改札モードが選択されている場合には、その入力は制御部５０によって無効と判断される。
【００１８】
また、図５で示す表示部４１は、出札窓口または改札窓口の売上処理に伴って、管理ターミナル１の制御部５０（図５）に入力された情報、または制御部５０で処理された情報、例えば、預り金、今回の売上金額、釣銭などの売上処理に関する情報、および各種処理手順を案内するメニュー画面等を表示する。
【００１９】
また、記憶部４３は、売上金情報を記憶管理するメモリテーブル４４と、出札売上金記憶部４５と、改札売上金記憶部４６と、出改札合計売上金記憶部４７と、貨幣入出金機２から制御部５０に報告された機内在高を記憶する図示せぬ機内在高メモリとを具えている。
【００２０】
また、このうちのメモリテーブル４４には、出札窓口、改札窓口が利用される度に、乗車切符発券端末５、ＰＯＳ端末６あるいは操作入力部４０を介して売上金情報が入力される。この売上金情報は、出札フラグあるい改札フラグとともに、出札売上データＣ（図１０）、あるいは改札売上データＤ（図１０）としてメモリテーブル４４内に時系列に記憶される。
【００２１】
また、このメモリテーブル４４内に記憶される出札売上データＣ、改札売上データＤには、操作入力部４０によって入力される処理内容応じた処理フラグ、売上日に応じた日付データ等が設けられている。
【００２２】
また、出札売上金記憶部４５と、改札売上金記憶部４６と、出改札合計売上金記憶部４７には、メモリテーブル４４内に記憶される出札売上データＣ、改札売上データＤに基づいて制御部５０が算出した最新の出札売上金、改札売上金、出改札合計売上金の各データが記憶され、また、出札売上金、改札売上金、出改札合計売上金の各履歴も記憶される。
【００２３】
一方、制御部５０は、操作入力部４０の選択手段によって選択された各窓口モードに応じ、出札窓口、改札窓口で入力される売上金額に、出札フラグあるいは改札フラグを立てて、それぞれ改札売上データＣ、改札売上データＤとして、メモリテーブル４４内に時系列に記憶させる。
【００２４】
すなわち、操作入力部４０の選択手段によって、出札窓口専用モードが選択される場合には売上データに出札フラグを立てて出札売上データＣとして記憶し、また、改札窓口専用モードが選択されている場合にはその売上データに改札フラグを立てて改札売上データＤとして記憶する。
また、出札兼改札窓口モードが選択され、さらにその後操作入力部４０により出札モードが選択された際には、売上データに出札フラグを立てて出札売上データＣとして記憶する。また、出札兼改札窓口モードが選択され、さらにその後操作入力部４０により改札モードが選択された際には、売上データに改札フラグを立てて改札売上データＤとして記憶する。
【００２５】
また、制御部５０による出札売上データＣ、改札売上データＤに関する売上日の記憶管理について更に説明する。
【００２６】
制御部５０は、操作入力部４０から出札売上金情報の売上日更新の指示があるまでは、出札売上データＣに、売上日の更新前の日付データを設けてメモリテーブル４４に記憶させる。そして、操作入力部４０から出札売上金情報の売上日更新の指示があると、次に入力される出札売上金データＦに、新しい売上日の日付データを設けて、メモリテーブル４４内に記憶させる。
また、制御部５０は、操作入力部４０からのデータクリア指示により改札売上金情報の売上日が更新されるまでは、改札売上データＤに、売上日の更新前の日付データを設けてメモリテーブル４４内に記憶させる。また、操作入力部４０からのデータクリア指示により改札売上金情報の売上日が更新されると、次に入力される改札売上データＪに、新しい売上日の日付データを設けて、メモリテーブル４４内に記憶させる。
【００２７】
なお、制御部５０は、操作入力部４０からデータクリア指示があるまでは、メモリテーブル４４内の第１の領域（ファイルＡ）内に、出札、改札の各売上金情報を記憶するが、出札売上金情報の売上日更新後、操作入力部４０から売上金情報のデータクリア指示があると、メモリテーブル４４内に、更新された売上日を基準として各売上金情報を記憶する新たな記憶領域（ファイルＢ）を形成し、この新たな記憶領域（ファイルＢ）に、メモリテーブル４４内に記憶された売上日更新後の出札売上金情報（売上データＦ）を移動させ、次に、売上日更新前の出札売上金情報（売上データＣ）と、改札売上金情報（売上データＤ）とが記憶された第１の領域（ファイルＡ）をメモリテーブル４４から消去するとともに、改札売上金情報の売上日を更新する。
【００２８】
また、制御部５０は、メモリテーブル４４で記憶された出札売上データＣからなる出札売上金情報、改札売上データＤからなる改札売上金情報とをそれぞれ独立した売上日のもとに、出札売上金、改札売上金、出札売上金と改札売上金を合計した出改札合計売上金とをそれぞれ算出し、また、各算出した出札売上金、改札売上金、出札売上金出札売上金を、それぞれ、売上処理内容等とともに記憶部４３の出札売上金記憶部４５、改札売上金記憶部４６、出改札合計売上金記憶部４７に記憶させる。
【００２９】
また、制御部５０は、出札売上金および改札売上金の各回収時に、出札売上金の回収と改札売上金の回収を、売上日更新の前日のデータが付されたものを、それぞれ単独して行わせる。
【００３０】
なお、管理ターミナル１には、さらに、図示せぬＩＤカード読み取り機が備えられており、担当者別に用意されたＩＤカードの記録内容を識別することでき、各取引を行った社員番号が特定できるようにしている。また、この管理ターミナル1 には、フレキシブルディスクドライバＦＤＤを有しており、例えば１日の業務終了時に行う終了処理によって全ての取引データ、初期登録、初期設定データ、担当した社員番号などをフロッピーディスクに保存するようにしている。
【００３１】
次に、この出札・改札窓口用精算装置８１の処理手順について説明する。
まず、この出札・改札窓口用精算装置８１を出札窓口専用モードで使用するか、改札窓口専用モードで使用するか、または出札窓口と改札窓口とを兼用する出札兼改札窓口用モードで使用するかを選択する窓口モード選択手順について説明する。
【００３２】
この出札・改札窓口用精算装置８１の電源がＯＮされると、イニシャル処理が行われて、制御部５０は表示部４１に図７（ａ）で示すトップメニュー画面を表示させる。
このトップメニュー画面には、現在の日付、時刻を表示するエリア６１、出札、あるいは改札の売上日を表示する表示エリア６２、処理や売上額等を表示する表示エリア６３、入力した数値を一時表示する表示エリア６４がある。
【００３３】
このうちの表示エリア６３に表示された処理のうち、主な処理について説明すると、「４．売上」は、出札窓口、改札窓口で、乗車切符発券端末５、ＰＯＳ端末６等によって切符の発券、プリペイドカードの販売あるいは手売り乗車券の発券等を行うと、直ちに現金等の入金がある場合の売上処理である。
また、「５．未渡入金」は、手売り乗車券等の発券を行ったが入金がまだされていない、いわゆる未渡発券について入金がある場合の売上処理で、出札窓口で行われる。なお、未渡発券は、ラッシュアワーに備えて一度に多数枚の乗車券を発券のみ行う場合に行われている。
また、「６．払戻」は、発券した切符等の払い戻しの際、手数料を差し引いて払い戻す場合の処理で、一方、「７．出札払戻」は、自動発券機で発券した切符の払い戻し等、発券した切符等について全額を払い戻す場合の処理である。
また、「１０．あるだけ入金」は、改札窓口で釣銭の支払いをしなかった場合に入金を行う売上処理で、例えば、乗り越し精算の際、釣銭の支払いを客が受け取らなかった場合や、改札窓口が混雑し釣銭の支払いごとに入力が出来なかった場合など、置き去りにされた現金等を入力する場合に行われている。
【００３４】
次に、表示部４１に図７（ａ）で示すトップメニュー画面を表示した制御部５０は、操作入力部４０から特定キーが入力されると設定画面を表示部５０に表示させる。
この設定画面は複数画面にわたるので、制御部５０は「次頁」キーの入力があると、表示部４１に「１６．窓口種類」等を表示する図８で示す画面を表示させる。
そして、制御部５０は、「１６．窓口種類」欄の「［］」内に、「３．出・改」に対応して選択数値「３」が入力され、さらに「実行」キー５３が入力されると、出札兼改札窓口用モードに設定し、「確認／完了」キー５６が入力されると、再び表示部４１に図７（ａ）で示すトップメニュー画面を表示させる。
なお、図８で示す「１６．窓口種類」の設定において、前述したテンキー部５１による選択入力によって「１．出札」が選択されると、制御部５０は、出札窓口専用モードに設定し、「確認／完了」キー５６が入力されると、再び表示部４１に図７（ａ）で示すトップメニュー画面を表示させる。
また、図８で示す「２．改札」が選択されると、制御部５０は改札窓口専用モードに設定し、「確認／完了」キー５６が入力されると、再び表示部４１に図７（ａ）で示すトップメニュー画面を表示させる。
【００３５】
次に、この出札・改札窓口用精算装置８１において頻繁に実行される上述の「４．売上」処理について説明し、併せて、出札兼改札窓口モードに設定された場合に行われる、窓口モードの切り替え手順について説明する。
なお、以下、出札・改札窓口用精算装置８１の処理手順を、出札兼改札窓口モードを代表して説明する。
【００３６】
図９は、制御部５０の上述した「売上」処理についての処理手順を示すフローチャートである。
出札窓口、改札窓口の売上日がいずれも１９９８年７月９日に設定されている場合、メモリテーブル４４には、図１０（ａ）で示すように、第１の領域であるファイルＡ（ファイル９８０７０９．ＤＴ）が形成されている。
一方、制御部５０は、図７（ａ）で示すトップメニュー画面を表示部に表示させた際、「４．売上」に対応して選択数値「４」が入力され、さらに「実行」キーが入力されると、表示部４１に図１１（ａ）で示すメニュー画面を表示させるとともに、出札モードであるか否かを判断する（ステップ１０１）。
なお、選択数値の入力後には、特に明示する場合を除き、通常「実行」キー５３を入力することとし、これ以降の説明では、選択数値の入力後の「実行」キー５３を入力する旨の記載は省略する。
【００３７】
次に、このステップ１０１で、操作入力部４０によって、図１１（ａ）で示す画面の「１．出札」に対応して、カーソルを合わせて実行キー５３が入力されると、制御部５０は改札モードに設定し、表示部４１に図１１（ｂ）で示すように、「預り金」、「売上」、「釣銭」を表示する案内画面を表示させるとともに、「出／改」キー５４が入力されたか否かを判断する（ステップ１０２）。なお、この「出・改」キー５４の押下により「出札」と「改札」のモードがトグルして入れ替わるようになっている。また、このとき、図１１（ｂ）で示す案内画面の表示エリア６５には、窓口モードが出札モードであることを示す「シュッサツ」が表示される。
また、このステップ１０２で「出／改」キー５４が入力されていないと判断した場合には、出札売上処理が完了したか否かを判断し（ステップ１０３）、このとき、乗車切符発券端末５、ＰＯＳ端末６等からの発券情報あるいは販売情報を受信すると、表示部４１の「売上」欄に売上金額を表示し、その後の預り金の入力によって、表示部４１の「預り金」欄に預り金を表示する。また、制御部５０は、釣り銭を常に計算して表示部４１の「釣銭」欄に表示するとともに、次に「確認／完了」キー５６が入力された場合には、釣銭が存在するときには貨幣入出金機２から釣銭を出金させ、これにより出札売上処理が完了したと判断し、売上金額を、図１０（ａ）及び図１３で示すように、出札フラグを立ててメモリテーブルのファイルＡ内に、出札売上データＣとして記憶する（ステップ１０４）。また、このとき、ファイルＡ内に記憶される出札売上データＣには、図１０（ａ）および図１３で示すように、制御部５０によって、売上日である１９９８年７月９日の日付データ、図示せぬ「売上」処理のフラグ等が設けられる。
【００３８】
なお、ステップ１０３で、制御部５０は、上述の出札売上処理を完了していないと判断した場合、すなわち、上述した数値入力およびその後の「確認／完了」キー５６の入力がされない場合には、ステップ１０２、１０３の処理をループする。
【００３９】
一方、ステップ１０２で「出／改」キー５４が入力されたと判断した場合に、受信データがなければ、制御部５０は、改札モードに切り替える。
【００４０】
なお、改札用のオンライン端末はないので、発券端末が接続される場合は出札モードでの処理となる。
【００４１】
一方、ステップ１０１で、制御部５０は、出札モードでないと判断した場合には、改札モードであると判断し、表示部４１に図１１（ｃ）で示すように、表示エリア６３に「預り金」、「売上」、「釣銭」を表示し、表示エリア６５に改札モードであることを示す「カイサツ」を表示する案内画面に切り替えるとともに、「出／改」キー５４が入力されたか否かを判断する（ステップ１０５）。
【００４２】
また、このステップ１０５で「出／改」キー５４が入力されていないと判断した場合には、改札売上処理が完了したか否かを判断し（ステップ１０６）、このとき、制御部５０が乗車切符発券端末５、ＰＯＳ端末６等からの発券情報あるいは販売情報を受信すると、表示部４１の「売上」欄に売上金額を表示し、その後の預り金の入力によって表示部４１の「預り金」欄に預り金を表示する。また、制御部５０は、釣り銭を常に計算して表示部４１の「釣銭」欄に表示するとともに、次に「確認／完了」キー５６が入力された場合には、釣銭が存在するときには貨幣入出金機２から釣銭を出金させ、これにより改札売上処理が完了したと判断し、売上金額を、図１０（ａ）及び図１３で示すように、改札フラグを立ててメモリテーブルのファイルＡ内に、改札売上データＤとして記憶する（ステップ１０７）。
また、このときファイルＡ内に記憶される改札売上データＤには、図１０（ａ）および図１３で示すように、制御部５０によって、売上日である１９９８年７月９日の日付データ、図示せぬ「売上」処理のフラグ等が設けられる。
【００４３】
なお、ステップ１０６で、制御部５０は、上述の改札売上処理を完了していないと判断した場合、すなわち、上述した数値入力およびその後の「確認／完了」キー５６の入力がされない場合には、ステップ１０５、１０６の処理をループする。
【００４４】
また、ステップ１０５で「出／改」キー５４が入力されたと判断した場合に、受信データがなければ、制御部５０は、出札モードに切り替える。
【００４５】
一方、ステップ１０１で、制御部５０は、操作入力部４０によって、図９（ａ）で示す画面の「２．改札」に対応して、選択数値「２」が入力されると、改札モードに設定し、１０５以降の処理が行われる。なお、ステップ１０５で、制御部５０は、図１１（ｃ）で示すように、表示エリア６５に改札モードであることを示す「カイサツ」を表示させる。
【００４６】
また、制御部５０は、ステップ１０２、ステップ１０５にジャンプした際には、上述のように表示部４１にそれぞれ、図１１（ｂ）、図１１（ｃ）で示す案内画面を表示するが、このとき操作入力部４０によって「終了」キー５５が入力されると、制御部５０は、表示部４１に図７（ａ）で示すトップメニュー画面を表示させる。
【００４７】
次に、この出札・改札窓口用精算装置８１において、売上処理の一つとして行われる、あるだけ入金処理について説明する。
【００４８】
制御部５０が、図７（ａ）で示すトップメニュー画面を表示部４１に表示させた際、「１０．あるだけ入金」に対応して選択数値「１０」が入力されると、図１１（ａ）で示す表示部４１の表示エリア６６にアルダケ入金を示す「アルダケニュウキン」を表示する案内画面を表示させる。そして、「２．改札」に対応して、選択数値「２」が入力されると、制御部５０は、図１２で示すように、エリア６３に「預り金」、「売上」を表示し、また、表示エリア６５に改札モードであることを示す「カイサツ」を表示する案内画面を表示させる。
【００４９】
また、このとき、現金を計数した後、「確認／完了」キー５６が入力された場合には、あるだけ入金の改札売上処理が完了したと判断し、これにより、図１０（ａ）及び図１３で示すように、売上データＥに、改札フラグを立ててメモリテーブルのファイルＡ内に記憶する。また、このとき、ファイルＡ内に記憶される改札売上データＥには、図１０（ａ）及び図１３で示すように、制御部５０によって、売上日である１９９８年７月９日の日付データが設けられ、図示せぬ「あるだけ入金」処理のフラグ等が立てられている。
また、制御部５０は、その後、操作入力部４０の「終了」キー５５が入力されると、表示部４１に図７（ａ）で示すトップメニュー画面を表示させる。
【００５０】
次に、この出札・改札窓口用精算装置において定期的に行われる締切処理について説明する。
この締切処理は、出札窓口、改札窓口のそれぞれで定期的に行われる処理であり、出札窓口の締切り処理は、例えば、図１３で示すように、毎日午後９時に行われ、一方、改札窓口の締切り処理は、毎日午前０時に行われる。
なお、図１３は、横軸が時刻を示すタイムチャートで、出札、改札窓口の締切処理の処理時刻とその時刻におけるメモリテーブル４４の様子を示している。
【００５１】
また、出札窓口の締切り処理は、図１４（ａ）のフローチャートで示すように、出札回収処理、締切印字処理（出札）、出札売上日の更新処理の順でおこなわれる。
一方、改札窓口の締切り処理は、毎日午前０時に行われ、図１４（ｂ）のフローチャートで示すように，改札回収処理、締切印字処理（改札、または出札および改札の各合計）、データクリア処理の順におこなわれる。
【００５２】
まず、午後９時に行われる出札締切処理について説明する。
出札窓口の回収処理を行うには、図７（ｂ）で示すメニュー画面を表示させた際、「１１．締切」に対応して選択数値「１１」を入力する。すると、制御部５０が図１５で示すメニュー画面を表示部４１に表示させる。
この表示エリア６３に表示された「１．回収」は、貨幣入出金機２に上述した売上処理によって入金された貨幣の全部または一部を、貨幣入出金機２から外に取り出す処理である。
また、「２．締切印字」は、出札売上金記憶部４５、改札売上金記憶部４６、または出改札合計売上金記憶部４７に記憶された出札売上金、改札売上金、出改札合計売上金の各最新のデータをプリンタ４によって印字する処理である。
【００５３】
また、「３．売上日更新」は、日をもとに売上金を算出する際、その基準となる売上日の日付けを更新する処理である。
【００５４】
また、「４．データクリア」は、主として、改札売上日の更新前の出札売上情報、改札売上情報を消去する処理である。
【００５５】
また、「５．有高クリア」は、通常は使用されないが、記憶された貨幣の収容枚数等に異常がある場合等、記憶されている有高を消去する処理である。
【００５６】
一方、上述のように制御部５０が、図１５で示すメニュー画面を表示部４１に表示させた際、さらに「１．回収」に対応して選択数値「１」が入力されると、図１６で示すメニュー画面が表示される。
【００５７】
このメニュー画面の表示エリア６３に表示された「１．出札定額残置回収」は、出札窓口の回収を行う際、貨幣入出金機２内に一定額を残置させるとともに、改札窓口の改札売上があれば該改札売上を残置させ、残りの貨幣を回収する処理であって、残置する貨幣の金種及び枚数は制御部５０によって決定される。
また、「２．改札定額残置回収」は、改札窓口の回収を行う際、貨幣入出金機２内に一定額残置させるとともに、出札窓口の出札売上があれば該出札売上を残置させ、残りの貨幣を回収する処理であって、残置する貨幣の金種および枚数は制御部５０によって決定される。
また、「３．指定枚数残置回収」は、出札窓口または改札窓口で回収を行う際、貨幣入出金機２内に指定した貨幣を指定枚数残置させ、その残りの貨幣を回収する処理である。
また、「４．全回収」は、出札窓口または改札窓口で回収を行う際、貨幣入出金機２内に収容された貨幣を全額回収する処理である。
【００５８】
一方、この図１６で示すメニュー画面を表示させた際、制御部５０は「１．出札定額残置回収」に対応した選択数値「１」が入力され、さらに、この回収内容について確認がされて、「確認／完了」キー５６が入力されると、制御部５０は、貨幣入出金機２から指定額の貨幣を回収させるとともに、自動的に回収印字を行い、表示部４１に図１５で示すメニュー画面を表示させる。
【００５９】
なお、図１７は、回収印字を行った際、プリンタ４によって出力された印字内容を示しており、中段に示す「クレジット」、「ギフト券」、「旅行券」「専用旅行券」の内容は、初期設定で取扱いを行わないと設定した場合には印字がされない。なお、「専用旅行券」とは、所定の機関専用の旅行券である。
【００６０】
次に、締切印字処理（出札）処理について説明する。
締切印字処理を行う場合には、制御部５０が表示部４１に図１５で示すメユー画面を表示させた際、「２．締切印字」に対応して選択数値「２」を入力する。すると、制御部５０は図１８で示すメニュー画面を表示部４１に表示させる。
【００６１】
この図１８で示すメニュー画面の表示エリア６３に表示された「１．出札」は、出札売上金記憶部４５に記憶された最新の出札売上金情報の内容を印字させる処理である。
また、「２．改札」は、改札売上金記憶部４６に記憶された最新の改札売上金情報の内容を印字させる処理である。
また、「３．合計」は、出改札合計売上金記憶部４７に記憶された最新の売上金情報の内容を印字させる処理である。
【００６２】
次に、図１８で示すメニュー画面を表示させた制御部５０は、「１．出札」に対応して選択数値「１」が入力されると、図１９で示すように、出札売上金記憶部４５に記憶された最新の出札売上金情報の内容をプリンタ４によって印字させるとともに、図１５で示すメニュー画面を表示部４１に表示させる。
なお、図１９で、上段に示す「カード」は、いずれもＰＯＳ端末６によって処理されるプリペイドカード（例えば、ＪＲの場合はオレンジカード）である。
【００６３】
また、中段に示す「クレジット」は、その交通機関専用のクレジットカード（例えば、ＪＲの場合にはＪＲ専用のクレジットカード）である。
また、この「クレジット」等、「▲」が印字されている売上処理は、現金によって直ちに行われるものでない等の理由により日をもとにした売上額からマイナス計算されることを示している。
【００６４】
次に、出札売上日更新処理について、図２０のフローチャートに従って、説明する。なお、図２０は、売上日の更新処理の手順について示している。
【００６５】
出札売上日更新処理を行う場合には、図１４（ａ）で示すメニュー画面を表示させた際、「３．売上日更新」に対応して選択数値「３」が入力された場合には、制御部５０は、図２１（ａ）で示すメニュー画面を表示部４１に表示させる。また、このメニュー画面のエリア６３に表示された「１．出札」は、出札窓口の売上日更新を行う出札売上日更新処理である。
また、「２．改札」は、改札窓口の売上日更新を行う改札売上日更新処理である。
【００６６】
一方、図２１（ａ）で示すメニュー画面を表示部４１に表示させた際に、一方の窓口である出札窓口を示す「１．出札」に対応して、選択数値「１」が入力されると、制御部５０は、売上日更新フラグがＯＮであるか否かを判断する（ステップ２０１）。売上日更新フラグがＯＮである場合には、制御部５０はいずれかの窓口で既に売上日更新処理を行っていると判断し、表示部４１に選択数値「１」は無効である旨のエラー表示をする（ステップ２０２）。一方、この実施例では、いずれの窓口でもまだ売上日更新処理を行っていないため、制御部５０は、選択数値「１」の入力によって図２１（ｂ）で示す案内画面を表示部４１に表示させる。また、制御部５０は、このとき、売上日の数値が入力されると（ステップ２０３）、さらに出札モードで「確認／完了」キー５６が入力されたか否かを判断し（ステップ２０４）、出札モードで「確認／完了」キー５６が入力された場合には、制御部５０は出札売上日の更新指示があったと判断する。なお、売上日更新後の日付として、テンキー部５１から売上日更新前の日付が入力された場合には、制御部５０はその入力を無効と判断する。
ここでは、図２１（ｂ）で示すように、案内に従って、テンキー部５１によって年「１９９８」月「７」日「１０」が入力され、さらに「確認／完了」キー５６が入力されると、制御部５０は出札売上日の更新指示があったと判断する。
【００６７】
このとき、制御部５０は、操作入力部４０や、乗車切符発券端末５、及びＰＯＳ端末６から売上金情報が入力されて、上述の出札売上処理、改札売上処理が行われた後、「確認／完了」キー５６が入力されると、図１０（ｂ）及び図１３で示すように、出札売上金額を各種情報とともに出札売上金データＦとしてメモリテーブル４４のファイルＡ内に記憶させる。その際、更新した売上日の日付データを設けて記憶させる（ステップ２０５）。ここでは、売上日を１９９８年７月１０日に更新したので、図１０（ｂ）及び図１３で示すように、出札売上金データＦをメモリテーブル４４のファイルＡ内に記憶させる際、売上日の日付データを１９９８年７月１０日に変更して記憶させる。
なお、このとき改札売上日の更新はまだされていないから、出札売上金データＧをメモリテーブル４４のファイルＡ内に記憶させる際、出札売上金データＧの売上日の日付データは、１９９８年７月９日のままである。
【００６８】
また、ステップ２０５で、制御部５０は表示部４１に図１５（ａ）のメニュー画面を表示させ、売上日更新フラグをＯＮする（ステップ２０６）。
【００６９】
一方、ステップ２０４で、出札モードで「確認／完了」キー５６が入力されていない場合には、改札モードで「確認／完了」キー５６が入力されたか否かを判断し（ステップ２０７）、改札モードで「確認／完了」キー５６が入力された場合には改札売上日の更新指示があったと判断する。このとき、制御部５０は、操作入力部４０や、乗車切符発券端末５、及びＰＯＳ端末６から売上金情報が入力され、上述の出札売上処理、改札売上処理が行われた後「確認／完了」キー５６が入力されると、出札売上金額と改札売上金額とをそれぞれ各種情報とともに出札売上金データ、改札売上金データとしてメモリテーブル４４のファイルＡ内に記憶させる。その際、改札売上金データには更新した売上日の日付データを設けて記憶させる一方（ステップ２０８）、ステップ２０６の処理に移行する。
なお、改札売上日更新処理については、上述した出札売上日更新処理の処理手順のうち「１．出札」に代え、「２．改札」を選択入力した場合に実行されるが、既に売上日更新処理を行っている場合には、上述のように、制御部５０はその選択入力を無効と判断し、表示部４１にエラー表示をする。この実施例では、前述したように既に出札売上更新処理を行っているため、その後に「２．改札」を選択入力しても、制御部５０はその選択入力を無効と判断し、売上日更新処理は実行されないこととなる。
【００７０】
また、改札売上日更新処理を行う際には、図２１（ｂ）で示す案内画面の表示エリア６５に改札モードである旨が表示される。
次に、午前０時に行われる改札締切処理について説明する。
上述のように、図１４（ｂ）で示す改札締切処理は、改札回収処理、締切印字処理（改札、又は、出札および改札の各合計）、データクリア処理の順に行われる。
このうち、改札回収処理は、上述の出札回収処理で説明した「１．出札低額残置回収」の選択入力に代え、「２．改札定額残置回収」、「３．指定枚数残置回収」または「４．全回収」が選択入力された場合、それぞれの回収方法によって回収処理を行わせることができる。
なお、「２．改札定額残置回収」、「３．指定枚数残置回収」または「４．全回収」による回収がされた際にも、回収印字が自動的に行われる。
【００７１】
また、次に行われる締切印字処理（改札、又は、出札および改札の各合計）は、上述した締切印字処理（出札）の「１．出札」に代えて「２．改札」又は「３．合計」を選択入力することよって行われる。
【００７２】
これら「２．改札」、「３．合計」による締切印字処理では、それぞれ、改札売上金記憶部４６に記憶された最新の改札売上金情報、出改札合計売上金記憶部４７に記憶された最新の合計売上金情報の各内容が印字される。
なお、図２２、図２３は、それぞれ、「２．改札」、「３．合計」による締切印字処理の印字内容を示している。
【００７３】
次に、データクリア処理について、図２４のフローチャートに従って、説明する。なお、図２４は、データクリア処理の手順について示したフローチャートである。
【００７４】
表示部４１に図１５で示すメニュー画面を表示させた際、「４．データクリア」に対応して選択数値「４」が入力されると、制御部５０は、表示部４１に図２５で示すメニュー画面を表示させるとともに、「２．はい」に対応して選択数値「２」が入力され、次に「実行」キーが入力されたか否か、すなわち、データクリアの指示があったか否かを判断し（ステップ２０９）、データクリアの指示がないと判断した場合には、処理を終了する。
一方、ステップ２０９で、制御部５０が「２．はい」に対応して選択数値「２」が入力され、その後「実行」キーが入力された場合には、データクリアの指示があったと判断し、メモリテーブル４４内に、新たな記憶領域としてファイルＢ（１９９８０７１０）を形成し、このファイルＢ（１９９８０７１０）内に上述した出札売上更新処理によって新しい日付データが設けられている出札売上金情報を移動させる。
すなわち、ここでは１９９８年７月１０日付の出札フラグが立てられている各出札売上金データＦが移動される。
また、これらの各出札売上金データＦをファイルＢに移動させる場合、制御部５０は、図１０（ｃ）および図１３で示すように、時系列に格納する。
次に、制御部５０は、ファイルＡをメモリテーブル４４内から消去して、ファイルＡ内に記憶されている売上金情報、すなわち、売上日更新処理前の日付データが設けられている出札売上金情報と改札売上金情報とを消去する。すなわち、消去される出札売上金情報および改札売上金情報は、７月９日付の出札フラグが立てられている各出札売上金データＣと改札フラグが立てられている各改札売上金データＤ、Ｅ、Ｇである。
また、制御部５０は、売上日更新フラグをＯＦＦにし（ステップ２１０）、処理を終了する。
なお、ステップ２１０では同時に、図１５で示すメニュー画面を表示部４１に表示させる。
【００７５】
このとき、メモリテーブル４４には、出札、改札売上日更新処理がされ新しい日付データが設けられている出札売上金情報、改札売上金情報、すなわち、ここでは１９９８年７月１０日付の出札フラグ、改札フラグが立てられている各出札売上金データＦが記憶されているファイルＢのみが存在することとなる。
【００７６】
また、ステップ２１０で、制御部５０は、次に、操作入力部４０等から改札売上金情報が入力され、その後「確認／完了」キー５６が入力されると、図１０（ｂ）及び図１３で示すように、改札売上金額を各種情報とともに改札売上金データＪとしてメモリテーブル４４のファイルＢ内に記憶させる。その際、売上日の日付データを、更新後の出札売上日と同一日付の日付データを設けて記憶させる。ここでは、出札売上日を１９９８年７月１０日に更新したので、図１０（ｂ）及び図１３で示すように、改札売上金データＪをメモリテーブル４４のファイルＡ内に記憶させる際、改札売上日の日付データを１９９８年７月１０日に変更して記憶させる。
なお、このときには出札売上日の更新はすでにされているから、出札売上データをメモリテーブル４４のファイルＡ内に記憶させる際は、改札売上データＩの売上日の日付データは、図１０（ｂ）および図１３で示すように、１９９８年７月１０日である。
【００７７】
そして、制御部５０は、次に売上日の更新処理の指示があるまで、図１３で示すように、その出札売上日の日付データ、改札札売上日の日付データを変更せずに、それぞれ出札売上金データ、改札売上金データを時系列に記憶させる。
【００７８】
このように、制御部５０は、操作入力部４０から売上日更新の指示があると、次に入力される出札売上金情報を売上日を更新してメモリテーブル４４に記憶させ、次に、操作入力部４０から売上金情報のデータクリア指示があると、メモリテーブル４４内に、前記更新された売上日を基準として出札および改札の各売上金情報を記憶する新たな記憶領域を形成し、この新たな記憶領域に、メモリテーブル４４内に記憶された売上日更新後の出札売上金情報を移動させ、次に、売上日更新前の出札売上金情報と改札売上金情報とを、メモリテーブル４４から消去させるとともに、次に入力される改札売上金情報を、売上日を前記更新された売上日に更新して、メモリテーブル４４に記憶させるようにしたから、メモリテーブル４４内には更新日を基準とした各売上金情報のみが記憶された状態となり、そのため、データクリア処理後の、日を基準とした出札売上処理、改札売上処理を簡単にすることができ、また、メモリテーブル４４に必要とされる記憶容量を可及的に低くすることができる。
【００７９】
また、この実施例では、売上日の更新処理を午後９時の出札の締切処理で行い、データクリア処理を午前０時の改札の締切処理で行ったが、これに限定されず、例えば、売上日の更新処理を午後９時の改札の締切処理で行い、データクリア処理を午前０時の出札の締切処理で行っても、上述した実施例と同様、メモリテーブル４４内を更新日を基準とした各売上金情報のみが記憶された状態とすることができ、そのため、データクリア処理後の、日を基準とした出札売上処理、改札売上処理を簡単にすることができ、また、メモリテーブル４４に必要とされる記憶容量を可及的に低くすることができる。
【００８０】
また、このような交通機関の出札・改札窓口用精算装置８１では、上述のようにその管理ターミナル１が、出札窓口専用の売上金の管理、改札窓口専用の売上金の管理、および出札兼改札窓口用の売上金の管理に切り替え可能であることとしたから、従来のように一方の窓口である改札窓口の売上処理を手作業で行うことなく、１台の管理ターミナル１で出札窓口の売上処理と改札窓口の売上処理とをそれぞれ独立して行うことができる。
したがって、出札窓口の売上処理と改札窓口の売上処理とを簡単に行うことができる。
【００８１】
また、一方の窓口である改札窓口の売上処理が簡単となるため、売上処理の効率化及び迅速化が図れ、交通機関の利用者に対し十分なサービスを提供することができる。
【００８２】
なお、この実施例では、１台の管理ターミナル１を出札兼改札窓口用の売上管理用に使用したが、出札窓口専用、あるいは改札窓口専用の売上管理に使用することができることはいうまでもない。
【００８３】
また、この実施例では、一台の管理ターミナルと１台の貨幣入出金機からなることとしたが、この発明の出札・改札窓口用精算装置は、さらに、出札売上金情報のみを管理する管理ターミナルを具えて構成されていてもよい。
【００８４】
【発明の効果】
以上説明したように、この発明の交通機関の改札・改札窓口用精算装置は、切符の販売等を行う出札窓口の売上金の管理、販売された切符の払い戻しあるいは乗車変更に伴う精算等を行う改札窓口の売上金の管理に使用される交通機関の出札・改札窓口用精算装置において、切符の販売等を行う出札窓口専用の売上金の管理、販売された切符の払い戻しあるいは乗車変更に伴う精算等を行う改札窓口専用の売上金の管理、および前記出札窓口と前記改札窓口とを兼用する出札兼改札窓口用の売上金の管理に切り替え可能な管理ターミナルと、前記出札窓口と前記改札窓口の入金指令に基づいて入金された貨幣の計数額を前記管理ターミナルに報告するとともに貨幣を貨幣収納部に収納し、かつ前記管理ターミナルによる前記出札窓口と前記改札窓口の釣銭出金指令に応答して前記貨幣収納部に収納された貨幣を出金する貨幣入出金機とを具え、前記管理ターミナルは、前記出札窓口と前記改札窓口の入出金の操作指示、あるいは前記出札窓口と前記改札窓口の売上日更新の指示等を入力する入力手段であって、初期状態において出札窓口専用モードまたは改札窓口専用モード若しくは前記出札窓口と前記改札窓口と兼用する出札兼改札窓口モードのいずれかのモードを選択させる選択手段を有する入力手段と、前記各選択モードに応じて、出札売上金情報と改札売上金情報を記憶管理するメモリテーブルと、前記出札売上金情報と前記改札売上金情報とを売上日のもとに前記メモリテーブルで管理し、出札売上金、改札売上金の回収時に、前記売上日を基準に、前記出札売上金の回収と前記改札売上金の回収とを行う制御手段とを有することとしたから、従来のように一方の窓口である改札窓口の売上処理を手作業で行うことなく、出札窓口の売上処理と改札窓口の売上処理とをそれぞれ独立して行うことができる。したがって、出札窓口の売上処理と改札窓口の売上処理とを簡単に行うことができる。
【００８５】
また、一方の窓口である改札窓口の売上処理が簡単となるため、売上処理の効率化及び迅速化が図れ、交通機関の利用者に対し十分なサービスを提供することができる。
【００８６】
また、この発明の交通機関の出札・改札窓口用精算装置では、出札窓口、改札窓口の売上金の管理を１台の貨幣入出金機で行うこととしたから、従来のように２つの引き出しからなる売上金管理装置を具える場合に比し、現金の厳正な管理が簡単に行うことができる。
【００８７】
また、この発明では、切符の販売等を行う出札窓口の売上金の管理、販売された切符の払い戻しあるいは乗車変更に伴う精算等を行う改札窓口の売上金の管理に使用される交通機関の出札・改札窓口用精算装置において、切符の販売等を行う出札窓口専用の売上金の管理、販売された切符の払い戻しあるいは乗車変更に伴う精算等を行う改札窓口専用の売上金の管理、および前記出札窓口と前記改札窓口とを兼用する出札兼改札窓口用の売上金の管理に切り替え可能な管理ターミナルと、前記出札窓口と前記改札窓口の入金指令に基づいて入金された貨幣の計数額を前記管理ターミナルに報告するとともに貨幣を貨幣収納部に収納し、かつ前記管理ターミナルによる前記出札窓口と前記改札窓口の釣銭出金指令に応答して前記貨幣収納部に収納された貨幣を出金する貨幣入出金機とを具え、前記管理ターミナルは、前記出札窓口と前記改札窓口の入出金の操作指示、あるいは前記出札窓口と前記改札窓口の売上日更新の指示等を入力する入力手段であって、初期状態において出札窓口専用モードまたは改札窓口専用モード若しくは前記出札窓口と前記改札窓口と兼用する出札兼改札窓口モードのいずれかのモードを選択させる選択手段を有する入力手段と、前記各選択モードに応じて、出札売上金情報と改札売上金情報をそれぞれ記憶管理するメモリテーブルと、前記出札売上金情報と前記改札売上金情報とをそれぞれ独立した売上日のもとに前記メモリテーブルで管理し、出札売上金、改札売上金の回収時に、前記独立した前記売上日を基準に、前記出札売上金の回収と前記改札売上金の回収とをそれぞれ独立して行う制御手段とを有することとし、さらに、制御手段は、前記入力手段から売上日更新の指示があると、前記出札売上金情報と前記改札売上金情報のうちいずれか一方の売上金情報であって、次に入力される売上金情報を売上日を更新して前記メモリテーブルに記憶させ、次に、前記入力手段から売上金情報のデータクリア指示があると、前記メモリテーブル内に、前記更新された売上日を基準として前記出札および前記改札の各売上金情報を記憶する新たな記憶領域を形成し、この新たな記憶領域に、前記メモリテーブル内に記憶された売上日更新後の前記一方の売上金情報を移動させ、次に、売上日更新前の前記一方の売上金情報と他方の売上金情報とを、前記メモリテーブルから消去させるとともに、次に入力される前記他方の売上金情報を、売上日を前記更新された売上日に更新して、前記メモリテーブルに記憶させるようにしたから、メモリテーブル内には更新日を基準とした各売上金情報のみが記憶された状態となり、そのため、制御部が日を基準として出札売上処理、改札売上処理を行うことを簡単にすることができるとともに、また、メモリテーブルに必要とされる記憶容量を可及的に低くすることができる。
【００８８】
これにより、交通機関の出札・改札窓口において、切符の販売等を行う出札、販売された切符の払い戻しあるいは乗車変更に伴う精算等を行う改札の売上処理を効率よくかつ迅速に行うことができ、さらに厳しい現金管理を行うことが可能となる。
【図面の簡単な説明】
【図１】この発明に係わる交通機関の出札・改札窓口用精算装置の外観構成を示す図。
【図２】この発明に係わる交通機関の出札・改札窓口用精算装置の具体的構成を示す図。
【図３】この発明に係わる交通機関の出札・改札窓口用精算装置を構成する入出金機の内部構成を示す図。
【図４】この発明に係わる交通機関の出札・改札窓口用精算装置の接続形態を示すブロック図。
【図５】この発明の交通機関の切符販売・改札窓口用精算装置を構成する管理ターミナルを示すブロック図。
【図６】この発明に係わる交通機関の切符販売・改札窓口用精算装置を構成する入力手段、選択入力手段としてのキーボードのキー配置列を示す図。
【図７】（ａ）、（ｂ）は表示部に表示されるトップメニュー画面を示す図。
【図８】窓口モードを選択させるメニュー画面を示す図。
【図９】売上処理の際の制御手順を示すフローチャート。
【図１０】（ａ）、（ｂ）、（ｃ）はメモリテーブルの記憶状況を示す図。
【図１１】（ａ）、（ｂ）、（ｃ）は売上処理の際の案内画面を示す図。
【図１２】釣銭置去金についての売上処理の際の案内画面を示す図。
【図１３】横軸が時刻を示すタイムチャートで、出札、改札窓口の締切処理の処理時刻とその時刻におけるメモリテーブルの様子を示す図。
【図１４】（ａ）は午後９時における締切処理の手順、（ｂ）は午前０時における締切処理の手順を示すフローチャート。
【図１５】締切処理のメニュー画面を示す図。
【図１６】回収処理のメニュー画面を示す図。
【図１７】出札窓口での回収処理での回収印字の印字内容を示す図。
【図１８】出札窓口での締切印字処理の際のメニュー画面を示す図。
【図１９】出札窓口での締切印字処理の際、出札売上日を基準にした出札売上金情報の印字内容を示す図。
【図２０】売上日の更新処理の手順を示すフローチャート。
【図２１】（ａ）、（ｂ）は出札窓口での売上日更新処理の際の案内画面を示す図。
【図２２】改札窓口での締切印字処理の際、改札売上日を基準にした出札売上金情報の印字内容を示す図。
【図２３】改札窓口での締切印字処理の際、出札売上日、改札売上日をそれぞれ基準にした売上金合計情報の印字内容を示す図。
【図２４】データクリア処理の手順を示すフローチャート。
【図２５】データクリア処理の際のメニュー画面を示す図。
【図２６】従来の交通機関の切符販売・改札窓口用精算装置を示す概念構成図。
【符号の説明】
１…管理ターミナル
２…貨幣入出金機
１３、１４、１５、１６、３４…貨幣収納部
４０、５１、５２、５３、５４…入力手段
４１…表示手段
４４…メモリテーブル
５０…制御手段
５３、５４…選択手段
８１…交通機関の改札・改札窓口用精算装置
Ｂ…新たな記憶領域
Ｃ、Ｆ…出札売上データ
Ｄ、Ｅ、Ｇ…改札売上データ
Ｃ…売上日更新前の出札の各売上金情報
Ｄ、Ｅ、Ｇ…改札の各売上金情報
Ｆ…売上日更新後の出札の各売上金情報
Ｊ…次に入力される改札の売上金情報
【図１】
0003755563.tif 000002
【図２】
0003755563.tif 000003
【図３】
0003755563.tif 000004
【図４】
0003755563.tif 000005
【図５】
0003755563.tif 000006
【図６】
0003755563.tif 000007
【図７】
0003755563.tif 000008
【図８】
0003755563.tif 000009
【図９】
0003755563.tif 000010
【図１０】
0003755563.tif 000011
【図１１】
0003755563.tif 000012
【図１２】
0003755563.tif 000013
【図１３】
0003755563.tif 000014
【図１４】
0003755563.tif 000015
【図１５】
0003755563.tif 000016
【図１６】
0003755563.tif 000017
【図１７】
0003755563.tif 000018
【図１８】
0003755563.tif 000019
【図１９】
0003755563.tif 000020
【図２０】
0003755563.tif 000021
【図２１】
0003755563.tif 000022
【図２２】
0003755563.tif 000023
【図２３】
0003755563.tif 000024
【図２４】
0003755563.tif 000025
【図２５】
0003755563.tif 000026
【図２６】
0003755563.tif 000027